【手続補正書】
【提出日】平成15年8月20日(2003.8.20)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】
遊技盤と、該遊技盤を着脱可能に固定でき下部には発射レールが固着されたプレートと、該発射レールの発射点に遊技球を補給する球送装置と、前記発射レールに補給された遊技球を前記遊技盤に向けて発射する発射装置とを備える弾球遊技機において、
前記発射装置には該発射装置の駆動源に由来する動力を前記球送装置へ伝達するための動力伝達装置を設け、
前記球送装置には、上皿より遊技球が供給される球通路と、前記動力伝達装置に接続されて前記発射装置と同期回転し前記球通路にある遊技球を窪みに装填して補給口より前記発射レールへ導く送カムとを設け、
前記プレートには前記発射レールの発射点の近傍に凹部である取付部を設け、
該取付部に前記球送装置を着脱可能に取り付けた
ことを特徴とする弾球遊技機。
【請求項２】
請求項１記載の弾球遊技機において、
前記動力伝達装置は、前記駆動源である発射モータ側の発射カム軸に取り付けられて発射カムと供回りする駆動ギアと、前記送カムと接続されて供回りする送軸に設けられた追従ギアと、前記駆動ギアと追従ギアとに掛けられたタイミングベルトとを備えている
ことを特徴とする弾球遊技機。
【請求項３】
請求項１又は２記載の弾球遊技機において、
前記上皿には、前記送カムより導出された遊技球が当たって損傷するのを防ぎ、発射の際に遊技球が側面に飛び出すのを防止する球擦が設けられている
ことを特徴とする弾球遊技機。
【請求項４】
請求項１から３のいずれか１項に記載の弾球遊技機において、
前記球送装置から送出された遊技球の通過を検出する遊技球検出装置を設け、
該球検出装置が遊技球を検出しないときは設定時間後に前記発射装置を停止させる構成とした
ことを特徴とする弾球遊技機。
【請求項５】
遊技盤と、該遊技盤を着脱可能に固定でき下部には発射レールが固着されたプレートと、該発射レールの発射点に遊技球を補給する球送装置と、前記発射レールに補給された遊技球を前記遊技盤に向けて発射する発射装置とを備える弾球遊技機において、
前記球送装置から送出された遊技球の通過を検出する遊技球検出装置を設け、
該球検出装置が遊技球を検出しないときは設定時間後に前記発射装置を停止させる構成とした
ことを特徴とする弾球遊技機。
【手続補正３】
【補正対象書類名】明細書
【補正対象項目名】０００１
【補正方法】変更
【補正の内容】
【０００１】
【発明の属する技術分野】
本発明は、パチンコ機やアレンジボール遊技機、じゃん球遊技機等の弾球遊技機の技術分野に属する。
【手続補正４】
【補正対象書類名】明細書
【補正対象項目名】０００９
【補正方法】変更
【補正の内容】
【０００９】
【課題を解決するための手段】
請求項１の弾球遊技機は、遊技盤と、該遊技盤を着脱可能に固定でき下部には発射レールが固着されたプレートと、該発射レールの発射点に遊技球を補給する球送装置と、前記発射レールに補給された遊技球を前記遊技盤に向けて発射する発射装置とを備える弾球遊技機において、前記発射装置には該発射装置の駆動源に由来する動力を前記球送装置へ伝達するための動力伝達装置を設け、前記球送装置には、上皿より遊技球が供給される球通路と、前記動力伝達装置に接続されて前記発射装置と同期回転し前記球通路にある遊技球を窪みに装填して補給口より前記発射レールへ導く送カムとを設け、前記プレートには前記発射レールの発射点の近傍に凹部である取付部を設け、該取付部に前記球送装置を着脱可能に取り付けたことを特徴とする。
プレートに球送装置を設けることで発射装置と球送装置とが遊技盤に対し遊技盤と直線上の完全固定となり、安定した玉送りができる。
球送装置をプレートの凹部に取り付けるので発射レールを覆わないから、発射レールの清掃がしにくくならない。
【手続補正５】
【補正対象書類名】明細書
【補正対象項目名】００１０
【補正方法】変更
【補正の内容】
【００１０】
球送装置を上皿の裏側に設けると上皿自体が開閉可能で支点に製造上のばらつきとガタがあって、このことが不安定要素となっていた。
従来プレートは内枠に付けられその内枠に遊技盤を固定するものである。
そのプレートは、遊技盤に合う厚みが設けてありその内部は中空で有効利用していない。
プレートの発射点の位置する近傍に球送装置が取り付けられる凹部を設けて、その凹部に球送装置を着脱可能に取り付け、安定固定をするようにしたので、発射レールの清掃が従来通りでしかもプレートに固定であるので稼働中に玉送りが狂ってくることもなくなる。
【手続補正６】
【補正対象書類名】明細書
【補正対象項目名】００１１
【補正方法】変更
【補正の内容】
【００１１】
請求項２記載の弾球遊技機は、請求項１記載の弾球遊技機において、前記動力伝達装置は、前記駆動源である発射モータ側の発射カム軸に取り付けられて発射カムと供回りする駆動ギアと、前記送カムと接続されて供回りする送軸に設けられた追従ギアと、前記駆動ギアと追従ギアとに掛けられたタイミングベルトとを備えていることを特徴とする。
駆動ギア、追従ギア及びタイミングベルトによって発射カム軸の動力が送カムに伝達されるから、発射カムの回転（発射）と送カムの回転（補給）との同期回転が正確になる。球送装置から発射レールに補給された遊技球が安定停止したときに発射ができるタイミングに設定することが可能になる。
【手続補正７】
【補正対象書類名】明細書
【補正対象項目名】００１３
【補正方法】変更
【補正の内容】
【００１３】
請求項３記載の弾球遊技機は、請求項１又は２記載の弾球遊技機において、前記上皿には、前記送カムより導出された遊技球が当たって損傷するのを防ぎ、発射の際に遊技球が側面に飛び出すのを防止する球擦が設けられていることを特徴とする。
球擦は発射の際に遊技球が側面に飛び出すのを防止し、また送カムより導出された遊技球が勢い余ってこの面に当たった場合の損傷を防ぐことができる。
請求項４記載の弾球遊技機は、請求項１から３のいずれか１項に記載の弾球遊技機において、前記球送装置から送出された遊技球の通過を検出する遊技球検出装置を設け、該球検出装置が遊技球を検出しないときは設定時間後に前記発射装置を停止させる構成としたことを特徴とする。
動力伝達装置の故障により球送りができなくなると言う場合が考えられれ、遊技球検出装置を設けると、発射を促しているにも拘わらず遊技球検出装置が遊技球を検出しないときは球送装置の故障とみることが可能となる。
また、遊技球検出装置を設けると遊技客が自動打ちをしていて遊技を中断して球送装置内に遊技球がないときには、無駄に発射装置を動かすこととなる、遊技球をある時間経ても検出できないときに遊技球検出装置を設けることで発射装置を止めることが可能である。
遊技球検出装置の活用方法の次の例としては、発射と球送と同期を採っているのでモータの定点停止をさせることも可能で、発射中にこの発射を止める場合を考えれば遊技球を検出した時点でモータへの通電を止めると、発射槌が発射し終えた時点であるから再起動させるときはモータに負担が掛からない。
以上の構成であればモータが約半回転してモータ軸の発射カムが発射槌のローラアームに接触開始する位置になる。


【手続補正８】
【補正対象書類名】明細書
【補正対象項目名】００１６
【補正方法】変更
【補正の内容】
【００１６】
請求項５記載の弾球遊技機は、遊技盤と、該遊技盤を着脱可能に固定でき下部には発射レールが固着されたプレートと、該発射レールの発射点に遊技球を補給する球送装置と、前記発射レールに補給された遊技球を前記遊技盤に向けて発射する発射装置とを備える弾球遊技機において、前記球送装置から送出された遊技球の通過を検出する遊技球検出装置を設け、該球検出装置が遊技球を検出しないときは設定時間後に前記発射装置を停止させる構成としたことを特徴とする。
球送装置の取付方法は、取付部となる凹部にピンを設けると共に球送装置にも前記ピンに対する穴を設けて球送装置を前記ピンに装填する構成とできる。
プレートの凹部の特定の位置にプレートと同質のピンを設けて、このピンはテーパー状にして球送装置にもこのピンの対形にテーパー状の穴のあいた筒を球送装置と同質で設け球送装置のテーパー穴とプレート側のテーパーピンとを連通させるように押し込めば容易に安定固定ができる。
振動で球送装置の脱落の可能性もあるが脱落防止の止め金を設けてもよく、プレート側に蓋を設ければこの脱落防止もできる。